(57)【特許請求の範囲】
【請求項１】
第１スイッチと第２スイッチと筐体とを有する電子機器に設けられるボタンモジュールであって、
第１方向に押下される第１押下面と前記第１スイッチを押下する第１押し子を有する第１ボタンと、
前記第１方向に押下される第２押下面と前記第２スイッチを押下する第２押し子を有する第２ボタンと、
前記第１ボタンと組み合わせられることで、前記第１ボタンを、前記第１ボタンが前記第１方向に移動可能に支持する支持部と、
前記支持部に接続され、前記支持部よりも前記第１ボタンの前記第１押し子が設けられる側で前記筐体に固定される固定部と、
前記固定部に接続され、前記固定部が前記筐体に固定されたときに、前記第１押下面と前記第２押下面とが前記筐体の同一面から露出するように前記第２ボタンを支持し、前記第２ボタンの前記第１方向への押下により弾性変形する継手と、を備え、
前記第１ボタンは、前記第１方向に直交する第２方向に突出する支軸を有し、
前記支持部は、前記支軸を中心に回動可能に支持する軸受けを有する
ことを特徴とするボタンモジュール。
【請求項２】
第１スイッチと第２スイッチと筐体とを有する電子機器に設けられるボタンモジュールであって、
第１方向に押下される第１押下面と前記第１スイッチを押下する第１押し子を有する第１ボタンと、
前記第１方向に押下される第２押下面と前記第２スイッチを押下する第２押し子を有する第２ボタンと、
前記第１ボタンと組み合わせられることで、前記第１ボタンを、前記第１ボタンが前記第１方向に移動可能に支持する支持部と、
前記支持部に接続され、前記支持部よりも前記第１ボタンの前記第１押し子が設けられる側で前記筐体に固定される固定部と、
前記固定部に接続され、前記固定部が前記筐体に固定されたときに、前記第１押下面と前記第２押下面とが前記筐体の同一面から露出するように前記第２ボタンを支持し、前記第２ボタンの前記第１方向への押下により弾性変形する継手と、を備え、
前記支持部は、前記第１方向に直交する第２方向に突出する支軸を有し、
前記第１ボタンは、前記支軸を中心に回動可能に支持する軸受けを有する
ことを特徴とするボタンモジュール。
【請求項３】
前記第１方向に押下される第３押下面と第３スイッチを押下する第３押し子を有する第３ボタンを更に備え、
前記固定部は、前記第３ボタンを、前記第３押下面が前記第１押下面と前記第２押下面と略同一平面で前記第１ボタンに対し、前記第２ボタンと逆側に並ぶように支持し、前記第３ボタンの前記第１方向への押下により弾性変形する継手を有する
ことを特徴とする請求項１または２に記載のボタンモジュール。
【請求項４】
前記第１ボタンは、前記支軸を中心に回動可能なボリュームスイッチである
ことを特徴とする請求項１または２に記載のボタンモジュール。
【請求項５】
第１スイッチと、
第２スイッチと、
筐体と、
第１方向に押下される第１押下面と前記第１スイッチを押下する第１押し子を有する第１ボタンと、前記第１方向に押下される第２押下面と前記第２スイッチを押下する第２押し子を有する第２ボタンと、前記第１ボタンと組み合わせられることで、前記第１ボタンを、前記第１ボタンが前記第１方向に移動可能に支持する支持部と、前記支持部に接続され、前記支持部よりも前記第１ボタンの前記第１押し子が設けられる側で前記筐体に固定される固定部と、前記固定部に接続され、前記固定部が前記筐体に固定されたときに、前記第１押下面と前記第２押下面とが前記筐体の同一面から露出するように前記第２ボタンを支持し、前記第２ボタンの前記第１方向への押下により弾性変形する継手とを有するボタンモジュールとを備え、
前記第１ボタンは、前記第１方向に直交する第２方向に突出する支軸を有し、
前記支持部は、前記支軸を中心に回動可能に支持する軸受けを有する
ことを特徴とする電子機器。
【請求項６】
第１スイッチと、
第２スイッチと、
筐体と、
第１方向に押下される第１押下面と前記第１スイッチを押下する第１押し子を有する第１ボタンと、前記第１方向に押下される第２押下面と前記第２スイッチを押下する第２押し子を有する第２ボタンと、前記第１ボタンと組み合わせられることで、前記第１ボタンを、前記第１ボタンが前記第１方向に移動可能に支持する支持部と、前記支持部に接続され、前記支持部よりも前記第１ボタンの前記第１押し子が設けられる側で前記筐体に固定される固定部と、前記固定部に接続され、前記固定部が前記筐体に固定されたときに、前記第１押下面と前記第２押下面とが前記筐体の同一面から露出するように前記第２ボタンを支持し、前記第２ボタンの前記第１方向への押下により弾性変形する継手とを有するボタンモジュールとを備え、
前記支持部は、前記第１方向に直交する第２方向に突出する支軸を有し、
前記第１ボタンは、前記支軸を中心に回動可能に支持する軸受けを有する
ことを特徴とする電子機器。
【発明の詳細な説明】
【技術分野】
【０００１】
本技術は、ボタンモジュール、及び電子機器に関する。
【背景技術】
【０００２】
タブレットＰＣ（Ｐｅｒｓｏｎａｌ  Ｃｏｍｐｕｔｅｒ）、ノートＰＣ、スマートフォン、フィーチャーフォンなどの電子機器には、電源ボタンやボリュームボタンなどの複数のボタンが筐体側面に設けられている。筐体側面に設けられるボタンの構造として、各ボタンが独立して設けられる独立型のボタンと、各ボタンが連結して設けられる連結型のボタンとが用いられている。
【０００３】
独立型のボタンの場合、ボタンの数に応じた部品が必要となり、それぞれを組み付ける工程があるため、連結型のボタンに比べて組み立て工数が増えてしまう。このため、連結型のボタンを用いることが考えられる。
【０００４】
連結型のボタンの場合、各ボタンを各ボタンの間を板バネ状の継手を用いて連結して、ボタンを押下する際のたわみしろを実現する。たわみしろを実現する継手の長さ、形状を調整することにより、ユーザがボタンを押下する際に必要な力を調整する。
【先行技術文献】
【特許文献】
【０００５】
【特許文献１】特開平１０−２９４０４４号公報
【特許文献２】特開平７−７３７８１号公報
【発明の概要】
【発明が解決しようとする課題】
【０００６】
タブレットＰＣなどの電子機器では、ユーザが筐体を保持して使用する際に、持ち手を変えずに、複数のボタンを押下できることや、多機能化による内部スペースの制約により、ボタンの配置が限られてくるなどの問題が考えられ、限られたスペースに複数のボタンを設ける必要がでてくる。
【０００７】
連結型のボタンを用いる場合に、設計上の制約により各ボタンの間隔が限られていると、十分なたわみしろを確保することができず、ボタンの押下に大きな力が必要となることが考えられる。また、連結型であるために、押下したボタンと隣り合うボタンも連動して動いてしまうことが問題となる。押下したボタンと隣り合うボタンが連動して動いてしまうと、隣り合うボタンの動きにより、スイッチが押下されてしまい、意図しない動作を生じさせてしまうため、押下したボタンに隣り合うボタンが連動して動くことを避ける必要がある。
【０００８】
本発明は、上記の問題点を鑑みたものであり、限られたスペースへ複数のボタンを設ける際に、押下したボタンと隣り合うボタンが連動して動きにくく、かつ押下に必要な力を低減できるボタンを提供する。
【課題を解決するための手段】
【０００９】
開示の技術の一観点によれば、第１スイッチと第２スイッチと筐体とを有する電子機器に設けられるボタンモジュールであって、第１方向に押下される第１押下面と前記第１スイッチを押下する第１押し子を有する第１ボタンと、前記第１方向に押下される第２押下面と前記第２スイッチを押下する第２押し子を有する第２ボタンと、前記第１ボタンと組み合わせられることで、前記第１ボタンを、前記第１ボタンが前記第１方向に移動可能に支持する支持部と、前記支持部に接続され、前記支持部よりも前記第１ボタンの前記第１押し子が設けられる側で前記筐体に固定される固定部と、前記固定部に接続され、前記固定部が前記筐体に固定されたときに、前記第１押下面と前記第２押下面とが前記筐体の同一面から露出するように前記第２ボタンを支持し、前記第２ボタンの前記第１方向への押下により弾性変形する継手と、を備え、前記第１ボタンは、前記第１方向に直交する第２方向に突出する支軸を有し、前記支持部は、前記支軸を中心に回動可能に支持する軸受けを有することを特徴とするボタンモジュールが提供される。
【発明の効果】
【００１０】
開示の技術の一観点によれば、限られたスペースへ複数のボタンを設ける際に、押下したボタンと隣り合うボタンが連動して動きにくく、かつ押下に必要な力を低減できるボタンを提供することができる。
【図面の簡単な説明】
【００１１】
【図１】図１は、第１の実施形態に係るタブレットＰＣ１００の外観を示す図である。
【図２】図２は、第１の実施形態に係るタブレットＰＣ１００の背面を示す図である。
【図３】図３は、第１の実施形態に係るタブレットＰＣ１００の筐体７の背面を示す図である。
【図４】図４は、筐体７及びボタンモジュール８の組み立て図である。
【図５】図５は、筐体７及びボタンモジュール８の組み立て図である。
【図６】図６は、ボタンモジュール８が取り付けられた筐体７の背面と、右側面を示す図である。
【図７】図７は、ボタンモジュール８の斜視図である。
【図８】図８は、ボタンモジュール８の斜視図である。
【図９】図９は、ボタンモジュール８の底面を示す斜視図である。
【図１０】図１０は、ボリュームボタン３の正面と背面を示す斜視図である。
【図１１】図１１は、ボタンモジュール８とフレキシブルケーブル１０の組み立て図である。
【図１２】図１２は、ボタンモジュール８にフレキシブルケーブル１０が取り付けられた状態を表す六面図である。
【図１３】図１３は、第２の実施形態に係るボタンモジュール８の六面図である。
【図１４】図１４は、第３の実施形態に係るボタンモジュール１０８の六面図である。
【図１５】図１５は、第３の実施形態に係るボタンモジュール１０８の斜視図である。
【図１６】図１６は、第３の実施形態に係るボタンモジュール１０８の斜視図である。
【発明を実施するための形態】
【００１２】
本件のボタンモジュールは、筐体側面から筐体内に押し込む方向（第１方向）に押下される第１ボタンと、第１方向に押下される第２ボタンとを有する。ここでは、第１ボタンをボリュームボタン、第２ボタンを電源ボタンとして説明する。ボタンモジュールは、第１ボタンより奥側で筐体に固定される固定部を有する。ボタンモジュールは、当該固定部に接続され、第１ボタンと組み合わせられることで、第１ボタンを第１方向に移動可能に支持する支持部を有する。ボタンモジュールは、固定部に接続され、第２ボタンと第１ボタンとが隣り合い、略同一平面上に並ぶように支持し、第２ボタンへの第１方向の押下により弾性変形する継手を有する。
【００１３】
本件のボタンモジュールおよび電子機器によれば、第２ボタンを支持部によって支持することにより、第２ボタンが押下された際に、第２ボタンと隣り合う第１ボタンへ力が加わることがなくなるため、誤った押下を防ぐことができる。
【００１４】
また、第２ボタンを支持する支持部が、第１ボタンに対し、より筐体内部側に設けられることにより、連結型ボタンにおいてボタン間を継手で接続する構造と比べ、継手の長さを長くすることが可能となるため、第２ボタンの押下に必要な力が低減される。
【００１５】
以下に、ボタンモジュール及び電子機器の実施例を図面に基づいて詳細に説明する。なお、この実施例は、開示の技術を限定するものではない。
【００１６】
（第１の実施形態）
第１の実施形態において、ボタンモジュール及び電子機器の一例としてタブレットＰＣを用いて説明する。ボタンモジュールは、電子機器の筐体側面から露出されることにより、ユーザの押下操作を受けるものである。まず、ボタンモジュールのタブレットＰＣ内での配置を説明する。次に、ボタンモジュールの詳細について説明する。
【００１７】
まず、図１および２を用いてタブレットＰＣ１００の外観を説明する。
【００１８】
図１は、第１の実施形態に係るタブレットＰＣ１００の外観を示す図である。図１は、図面に向かって中央のタブレットＰＣ１００の正面図、左に示す左側面図、右に示す右側面図、上に示す平面図、下に示す底面図を並べたものである。図１の正面図に示すように、タブレットＰＣ１００は、筐体に表示部１が取り付けられる。右側面図に示すように、タブレットＰＣ１００の右側側面には、ボタンモジュールが取り付けられることにより、電源ボタン２、ボリュームボタン３、アプリケーションボタン４が筐体から露出している。アプリケーションボタン４とは、アプリケーションに割り当てられ、例えば、表示画面の回転を行うボタンである。これらのボタンがユーザによって押下操作されることで、筐体内に設けられた各スイッチが押下される。左側面図は、タブレットＰＣ１００の左側側面に、各種コネクタ、スロット等を有することを示す。底面図は、タブレットＰＣ１００の底面に、充電や信号の送受信を行う接続端子５を有することを示す。平面図は、タブレットＰＣ１００の平面側の側面を示す。
【００１９】
図２は、第１の実施形態に係るタブレットＰＣ１００の背面を示す図である。図２に示すように、タブレットＰＣ１００は、筐体に背面カバー６が設けられる。
【００２０】
次に、図３〜図６を用いてタブレットＰＣ１００に対するボタンモジュール８の配置を説明する。
【００２１】
図３は、第１の実施形態に係るタブレットＰＣ１００の筐体７の背面図を示す図である。筐体７から背面カバー６を取り外した状態を示しており、タブレットＰＣ１００の内部を示している。筐体７には、各種部品が設けられている。筐体７は、ボタンモジュール８、各スイッチを有し、基板９に接続されるフレキシブルケーブル１０を有している。ボタンモジュール８は、各ボタンが筐体７から露出され、ユーザの押下操作を受け付け、各ボタンが押下されると、フレキシブルケーブル１０に設けられた対応するスイッチを押下するよう配置される。
【００２２】
図３に示すように、タブレットＰＣなどの電子機器の多機能化により、各種部品が多数設けられている。例えば、複数の方式の無線通信を行うための複数のアンテナや、ＵＳＢなどの接続端子、大容量のバッテリなどの部品が設けられ、筐体７の内部のスペースが限られてくる。このため、複数のボタンを筐体７側面に設ける際にも、筐体７側面の長手方向でボタンに割り振ることができるスペースが制限されてくることが考えられる。そこで、限られたスペースへ複数のボタンを設ける際に、押下したボタンと隣り合うボタンが連動して動きにくく、かつ押下に必要な力を低減できる本件のボタンモジュールを考えた。
【００２３】
図４は、筐体７及びボタンモジュール８の組み立て図である。図４は、タブレットＰＣ１００の筐体７を図１に記載の右側面側からみた斜視図である。ボタンモジュール８は、筐体７に設けられたかしめピン１１によって位置決めされて取り付けられた後、かしめピン１１が熱を加えられることにより熱溶着し、筐体７に固定される。図４では、ボタンモジュール８にフレキシブルケーブル１０が取り付けられている。
【００２４】
図５は、筐体７及びボタンモジュール８の組み立て図である。図５は、タブレットＰＣ１００の筐体７を図１に記載の左側面側からみた斜視図である。図４と同様に、筐体７、ボタンモジュール８、フレキシブルケーブル１０、かしめピン１１を示す。
【００２５】
図６に、ボタンモジュール８が取り付けられた筐体７の背面と、右側面を示す。筐体７に取り付けられたボタンモジュール８は、右側面図に示すように、筐体７の開口部から露出する。ボタンモジュール８は、電源ボタン２、ボリュームボタン３、アプリケーションボタン４を並列に有する。
【００２６】
図６に示すように、電源ボタン２、ボリュームボタン３、アプリケーションボタン４は、筐体７右側面の開口部から露出するように並んで配置される。図６に示すボタンモジュール８は、筐体７右側面の開口部から露出するそれぞれの押下面が略同一平面上に並ぶように配置されている。ボタンモジュール８のそれぞれのボタンの配置は、本実施例に限定されず、電源ボタン２、ボリュームボタン３、アプリケーションボタン４のそれぞれの押下面は、筐体７右側面の開口部からそれぞれ所定の長さで突出してもよい。所定の長さとは、ユーザがボタンを押下する際の押しやすさや、ボタンが誤って押下されないこと、ボタンモジュール８が組み付けられる筐体の大きさなどを考慮して決定される。例えば、電源ボタン２は、誤操作を防ぐために、他のボタンに比べ、筐体７右側面の開口部から突出する長さを短くするなどが考えられる。
【００２７】
次に、図７〜図１２を用いて、ボタンモジュール８の構造について説明する。
【００２８】
図７は、ボタンモジュール８の斜視図である。図７に示すボタンモジュール８は、押下面１２、１３を有するボリュームボタン３を支持部１５が支持している。支持部１５は軸受け部１４によってボリュームボタン３を支持している。また、ボタンモジュール８は、筐体７に設けられたかしめピン１１が固定穴２２に挿入され、熱溶着されることによって筐体７に固定される固定部３０を有する。固定部３０から延在する２つの継手１６、１７が、押下面１８とスイッチを押下する押し子１９を有する電源ボタン２および押下面２０とスイッチを押下する押し子２１を有するアプリケーションボタン４を支持している。
【００２９】
このように、電源ボタン２を支持部１５によって支持することにより、電源ボタン２が押下された際に、電源ボタン２と隣り合うボリュームボタン３へ力が伝わらないため、ボリュームボタン３に対応するスイッチへの誤った押下を防ぐことができる。
【００３０】
また、電源ボタン２を支持する支持部１５が、ボリュームボタン３より筐体内部側に設けられることにより、連結型ボタンにおいてボタン間を継手で接続する構造と比べ、継手の長さを長くなるため、電源ボタン２の押下に必要な力が低減される。
【００３１】
続いてボタンモジュール８の電源ボタン２、ボリュームボタン３、アプリケーションボタン４、支持部１５について詳細に説明する。
【００３２】
図８にボタンモジュール８を示す。図８は、ボタンモジュール８の斜視図である。ボタンモジュール８は、固定部３０の固定穴２２に筐体７に設けられたかしめピン１１が挿入され、熱溶着されることにより、筐体７に固定される。支持部１５は、軸受け１４を介してボリュームボタン３を回動可能に支持することにより、ボリュームボタン３の押下面１２または押下面１３が押下された際に、ボタンモジュール８に取り付けられるフレキシブルケーブル１０のスイッチを押下することができる。
【００３３】
筐体７側面の長手方向において、ボリュームボタン３に隣り合う位置で筐体７の開口部から露出するように、電源ボタン２とアプリケーションボタン４が支持される。電源ボタン２は、継手１６が接続され、継手１６がボリュームボタン３の奥側で固定部３０に接続される。このときの継手１６の長さは、従来の連結型ボタンにおいて、隣り合うボタン同士を略同一平面で接続する継手と比べ、奥行き方向に延びている分、継手の長さが長くなる。アプリケーションボタン４は、継手１７が接続され、継手１７がボリュームボタン３の奥側で固定部３０に接続されるため、継手１６と同様に、従来の連結型ボタンの継手よりも長い。
【００３４】
電源ボタン２は、ユーザによって押下される押下面１８と、押下された際に、対応するスイッチを押下する押し子１９を有する。アプリケーションボタン４は、ユーザによって押下される押下面２０と、押下された際に、対応するスイッチを押下する押し子２１を有する。
【００３５】
図９は、ボタンモジュール８の底面を示す斜視図である。ボタンモジュール８は、筐体７にかしめピン１１が固定穴２２に挿入されて固定される固定部３０と、ボリュームボタン３を支持する軸受け部１４と、継手１６によって支持され、押し子１９を有する電源ボタン２と、継手１７によって支持され、押し子２１を有するアプリケーションボタン４を有する。
【００３６】
ここで、各ボタンを押下し、スイッチを押下する際の押圧力について説明する。ユーザがボタンを押下し、スイッチが押下されるための押圧力は、実験などによって設定される。押圧力は、スイッチ自体が押下されるための力と各ボタンが押下されるための力を合わせたものである。この押圧力が小さい方がユーザの操作性にとって好ましい。
【００３７】
各ボタンが押下されるために必要な力は、ボタンを支持する継手の長さによって決定され、継手が長いほうが、この力が小さくなる。そこで、本件のボタンモジュールのように、継手が長くなる構造が効果的である。特に、限られたスペースで複数のボタンを設ける場合には、ボタン自体の大きさを変更させられない場合が多いため、ボタン間の間隔が狭くなり、この効果が顕著になる。
【００３８】
図１０は、ボリュームボタン３の正面と背面を示す斜視図である。ボリュームボタン３は支軸２３を有し、支軸２３が支持部１５の軸受け１４によって回動可能に支持されることにより、ユーザに押下された際に、対応するスイッチを押下する。ボリュームボタン３は、ボリュームを上げるスイッチに対応する押下面１２と押し子２４と、ボリュームを下げるスイッチに対応する押下面１３と押し子２５を有する。
【００３９】
ボタンモジュール８に取り付けられるスイッチについて図１１を用いて説明する。
【００４０】
図１１は、ボタンモジュール８とフレキシブルケーブル１０の組み立て図である。ボタンモジュール８は、ボリュームボタン３が支持部１５の軸受け１４によって支持され、電源ボタン２、ボリュームボタン３、アプリケーションボタン４が隣り合う形で支持される。
【００４１】
スイッチ２６〜２９が設けられたフレキシブルケーブル１０が、ボタンモジュール８に取り付けられる。スイッチ２６は、電源ボタン２に対応するスイッチである。スイッチ２７、２８は、ボリュームボタン３に対応するスイッチであり、スイッチ２７がボリュームを上げるスイッチであり、スイッチ２８がボリュームを下げるスイッチである。スイッチ２９は、アプリケーションボタン４に対応するスイッチである。
【００４２】
ここで、図１２に、ボタンモジュール８にフレキシブルケーブル１０が取り付けられた状態を表す六面図を示す。
【００４３】
図１２の正面図に示すように、電源ボタン２、ボリュームボタン３、アプリケーションボタン４が併設される。図１２中上方の平面図及び下方の底面図に示すように、継手１６および継手１７は、ボタンの押下方向に対してボリュームボタン３の奥側で固定部３０に接続される。平面図、底面図、右側面図、左側面図に示すように、フレキシブルケーブル１０は、奥行き方向に延びて、筐体７内に設けられた基板９に接続される。図１２中右側の背面図において、ボタンモジュール８にフレキシブルケーブル１０が取り付けられた状態を示す。
【００４４】
上述したように、電源ボタン２、アプリケーションボタン４が筐体７に固定された固定部３０によって支持され、支持部１５がボリュームボタン３を支持することにより、電源ボタン２、ボリュームボタン３またはアプリケーションボタン４が押下された際に、押下されたボタンと隣り合うボタンへ力が伝わらないため、隣り合うボタンに対応するスイッチへの誤った押下を防ぐことができる。
【００４５】
第１の実施形態に係るボタンモジュール８として、ボリュームボタン３が支軸２３を有し、支持部１５が軸受け１４を有する例を説明したが、支持部１５が支軸を有し、ボリュームボタン３が軸受けを有する構造としてもよい。
【００４６】
また、第１のボタンとして、ボリュームボタン３のような回動するボタンでなく、電源ボタン、アプリケーションボタン、輝度調整ボタン、カメラシャッターボタンなどの押し込み式のボタンを用いてもよい。
【００４７】
（第２の実施形態）
第２の実施形態における、ボタンモジュールについて説明する。第２の実施形態におけるボタンモジュールは、固定部３０にスリットを設けることにより、継手の長さをより長くし、押圧力を低減させるものである。
【００４８】
図１３に、第２の実施形態に係るボタンモジュール８の六面図を示す。第１の実施形態と同様のものについては、同一の符号を付す。
【００４９】
図１３中の下方、底面図に示すように、固定部３０は、継手１６および継手１７が接続された部分からさらにスリット３１を設けてある。このスリット３１により、電源ボタン２、アプリケーションボタン４が押下された際に、継手１６、１７だけでなく、スリット３１部分でも変形を生じるため、ユーザが電源ボタン２およびアプリケーションボタン４を押下するのに必要な押圧力を低減することができる。
【００５０】
（第３の実施形態）
第３の実施形態における、ボタンモジュールについて図１４〜１６を用いて説明する。第３の実施形態におけるボタンモジュールは、アプリケーションボタン４を含まないものである。
【００５１】
図１４に、第３の実施形態に係るボタンモジュール１０８の六面図を示す。
【００５２】
図１４の正面図に示すように、電源ボタン１０２が継手１１６によって固定部１３０に支持される。図１４中の上方の平面図及び下方の底面図に示すように、継手１１６、ボタンの押下方向に対してボリュームボタン３が支持される軸受け１１４の奥側で固定部１３０に接続される。
【００５３】
次に、図１５、１６に、ボタンモジュール１０８を示す。図１５、１６は、第３の実施形態に係るボタンモジュール１０８の斜視図である。支持部１１５は、固定部１３０の固定穴１２２に筐体に設けられたかしめピンが挿入され、熱溶着されることにより、筐体に固定される。支持部１１５は、軸受け１１４を介してボリュームボタンを回動可能に支持する。
【００５４】
固定部１３０は、筐体側面の長手方向において、ボリュームボタンに隣り合う位置で筐体７の開口部から露出するように、電源ボタン１０２を支持する。電源ボタン１０２は、継手１１６が接続され、継手１１６がボリュームボタンの奥側で固定部１３０に接続される。このときの継手１１６の長さは、従来の連結型ボタンにおいて、隣り合うボタン同士を略同一平面で接続する継手と比べ、奥行き方向に延びている分、長くなる。
【００５５】
電源ボタン１０２は、ユーザによって押下される押下面１１８と、押下された際に、対応するスイッチを押下する押し子を有する。
【００５６】
このように、電源ボタン１０２が筐体に固定された固定部１３０によって支持し、支持部１１５がボリュームボタンを支持することにより、電源ボタン１０２またはボリュームボタンが押下された際に、押下されたボタンと隣り合うボタンへ力が伝わらないため、隣り合うボタンに対応するスイッチへの誤った押下を防ぐことができる。
【００５７】
本件では、電子機器として例えば、ノートＰＣ、タブレットＰＣ、スマートフォン、フィーチャーフォン等に適用するとしているが、これに限定されるものではない。
【符号の説明】
【００５８】
１：表示部
２：電源ボタン
３：ボリュームボタン
４：アプリケーションボタン
５：接続端子
６：背面カバー
７：筐体
８：ボタンモジュール
９：基板
１０：フレキシブルケーブル
１１：かしめピン
１２：押下面
１３：押下面
１４：軸受け
１５：支持部
１６：継手
１７：継手
１８：押下面
１９：押し子
２０：押下面
２１：押し子
２２：固定穴
２３：支軸
２４：押し子
２５：押し子
２６：スイッチ
２７：スイッチ
２８：スイッチ
２９：スイッチ
３０：固定部
３１：スリット
１００：タブレットＰＣ
１０２：電源ボタン
１０８：ボタンモジュール
１１４：軸受け
１１５：支持部
１１６：継手
１１８：押下面
１２２：固定穴
１３０：固定部
【図１】
0006375777.tif 000002
【図２】
0006375777.tif 000003
【図３】
0006375777.tif 000004
【図４】
0006375777.tif 000005
【図５】
0006375777.tif 000006
【図６】
0006375777.tif 000007
【図７】
0006375777.tif 000008
【図８】
0006375777.tif 000009
【図９】
0006375777.tif 000010
【図１０】
0006375777.tif 000011
【図１１】
0006375777.tif 000012
【図１２】
0006375777.tif 000013
【図１３】
0006375777.tif 000014
【図１４】
0006375777.tif 000015
【図１５】
0006375777.tif 000016
【図１６】
0006375777.tif 000017